(57)【要約】【課題】  本発明は、バターボックスに位置した状態のバッターがヘルメットに装着して携帯した制御装置を操作することでピッチングマシンの投球を制御可能なピッチングマシン制御システムを提供すること。【解決手段】  本発明のピッチングマシン制御システムは、所定早さのボール３を投球可能なピッチングマシン１と、このピッチングマシン１からの投球を制御可能な制御装置１０とを備え、制御装置１０は、バッターボックス４内でバッティングをするバッター５が携帯可能になっており、バッター５は、バッターボックス４に位置した状態で制御装置１０を操作することで、ピッチングマシン１の複数の投球メニューの中から所望の投球メニューを選択可能になっているので、バッター５はバッターボックス４から出なくて制御装置１０を操作でき、操作性に優れている。【選択図】        図１
2006197998.tif 000002
【特許請求の範囲】
【請求項１】
所定早さのボールを投球可能なピッチングマシンと、このピッチングマシンからの投球を制御可能な制御装置とを備え、前記制御装置は、バッターボックス内でバッティングをするバッターが携帯可能になっており、前記バッターは、バッターボックスに位置した状態で携帯した前記制御装置を操作することで、前記ピッチングマシンの複数の投球メニューの中から所望の前記投球メニューを選択可能になっていることを特徴とするピッチングマシン制御システム。
【請求項２】
前記制御機器には、前記制御装置を操作することで前記ピッチングマシンを制御可能な制御信号を出力可能な送信機が搭載され、前記ピッチングマシンには、前記制御装置から出力される前記制御信号を受信可能な受信機が搭載されていることを特徴とする請求項１記載のピッチングマシン制御システム。
【請求項３】
前記複数の投球メニューの中から選択した所望の投球メニューを前記ピッチングマシン側、あるいは／および前記制御装置側に形成した表示部に表示可能としたことを特徴とする請求項１、または２記載のピッチングマシン制御システム。
【請求項４】
前記制御装置は、ヘルメット、またはリストバンド、またはバットに装着可能になっていることを特徴とする請求項１乃至３のいずれかに記載のピッチングマシン制御システム。
【請求項５】
前記バッターボックスから離れた場所には、カードに入力している所望の情報を認識可能なカードリーダが配設され、装着した前記カードの情報を前記カードリーダが認識すると、前記操作装置の操作および前記ピッチングマシンの制御が可能となることを特徴とする請求項１乃至４のいずれかに記載のピッチングマシン制御システム。
【請求項６】
前記ピッチングマシンと前記カードリーダとには、双方向通信が可能な機器が搭載され、前記ピッチングマシン側の各種情報を前記カードリーダ側に送信可能になっていることを特徴とする請求項５記載のピッチングマシン制御システム。
【請求項７】
前記制御装置に前記カードリーダを内蔵したことを特徴とする請求項５、または６記載のピッチングマシン制御システム。
【発明の詳細な説明】
【技術分野】
【０００１】
本発明はピッチングマシン制御システムに係わり、特にバッターがバッターボックスに位置した状態でピッチングマシンを制御可能なピッチングマシン制御システムに関する。
【背景技術】
【０００２】
従来からバッティングセンタ等には、設置されているピッチングマシンから投球されるボールの球種や投球パターン等を変更操作可能な制御装置を備えたピッチングマシン制御システムがある。
このような従来のピッチングマシン制御システムは、バターボックスにいるバッターがバッティングを行っても、危険、あるいは邪魔にならない位置である、バッターから離れた安全な場所に制御装置を設置していた。
そして、バッターがピッチングマシンから投球されるボールの球種や投球パターン等を変更した場合、あるいは、バッティングを一時中止したい場合には、一旦バッターボックスを離れて制御装置を操作していた。
【特許文献１】特開平０８−３３６６２９号公報
【発明の開示】
【発明が解決しようとする課題】
【０００３】
しかし、従来のピッチングマシン制御システムは、バッティング中に、例えばバッティングを中断したい場合に、ピッチングマシンが動作していてボールが投球されている状態で、バッターボックスから離れて制御装置を操作しなければいけなかったので、危険であったし面倒であった。
本発明は前述したような課題を解決して、バターボックスに位置した状態のバッターがヘルメットに装着して携帯した制御装置を操作することでピッチングマシンの投球を制御可能なピッチングマシン制御システムを提供することを目的とする。
【課題を解決するための手段】
【０００４】
前記課題を解決するための第１の手段として本発明のピッチングマシン制御システムは、所定早さのボールを投球可能なピッチングマシンと、このピッチングマシンからの投球を制御可能な制御装置とを備え、前記制御装置は、バッターボックス内でバッティングをするバッターが携帯可能になっており、前記バッターは、バッターボックスに位置した状態で携帯した前記制御装置を操作することで、前記ピッチングマシンの複数の投球メニューの中から所望の前記投球メニューを選択可能になっていることを特徴とする。
また、前記課題を解決するための第２の手段として、前記制御機器には、前記制御装置を操作することで前記ピッチングマシンを制御可能な制御信号を出力可能な送信機が搭載され、前記ピッチングマシンには、前記制御装置から出力される前記制御信号を受信可能な受信機が搭載されていることを特徴とする。
【０００５】
また、前記課題を解決するための第３の手段として、前記複数の投球メニューの中から選択した所望の投球メニューを前記ピッチングマシン側、あるいは／および前記制御装置側に形成した表示部に表示可能としたことを特徴とする。
また、前記課題を解決するための第４の手段として、前記制御装置は、ヘルメット、またはリストバンド、またはバットに装着可能になっていることを特徴とする。
【０００６】
また、前記課題を解決するための第５の手段として、前記バッターボックスから離れた場所には、カードに入力している所望の情報を認識可能なカードリーダが配設され、装着した前記カードの情報を前記カードリーダが認識すると、前記操作装置の操作および前記ピッチングマシンの制御が可能となることを特徴とする。
また、前記課題を解決するための第６の手段として、前記ピッチングマシンと前記カードリーダとには、双方向通信が可能な機器が搭載され、前記ピッチングマシン側の各種情報を前記カードリーダ側に送信可能になっていることを特徴とする。
また、前記課題を解決するための第７の手段として、前記制御装置に前記カードリーダを内蔵したことを特徴とする。
【発明の効果】
【０００７】
本発明のピッチングマシン制御システの制御装置は、バッターボックス内でバッティングをするバッターが携帯可能になっており、バッターは、バッターボックスに位置した状態で携帯した制御装置を操作することで、ピッチングマシンの複数の投球メニューの中から所望の投球メニューを選択可能になっているので、ピッチングマシンを動作中の投球メニューの変更をバッターボックスに位置した状態で行うことができ操作性に優れている。
また、制御機器には、制御装置を操作することでピッチングマシンを制御可能な制御信号を出力可能な送信機が搭載され、ピッチングマシンには、制御装置から出力される制御信号を受信可能な受信機が搭載されているので、制御装置からの制御信号を確実にピッチングマシンで受信して、投球メニューの選択とピッチングマシンの操作とを行うことができる。
【０００８】
また、複数の投球メニューの中から選択した所望の投球メニューをピッチングマシン側、あるいは／および制御装置側に形成した表示部に表示可能としたので、現在設定されている投球メニュー、あるいは投球メニューの変更状況をリアルタイムで認識でき、誤入力等を防止できる。
また、制御装置は、ヘルメット、またはリストバンド、またはバットに装着かのうになっているので、常にバッターボックス内位置した状態で制御装置を操作でき、安全性と操作性に優れている。
あるいは、取り外した制御装置を直接操作することも可能で、操作性に優れている。
【０００９】
また、バッターボックスから離れた場所には、カードに入力している所望の情報を認識可能なカードリーダが配設され、装着したカードの情報をカードリーダが認識すると、操作装置の操作およびピッチングマシンの制御が可能となるので、カードに情報があるか、ないかを確実に認識してピッチングマシンを制御することができる。
また、ピッチングマシンとカードリーダとには、双方向通信が可能な機器が搭載され、ピッチングマシン側の各種情報をカードリーダ側に送信可能になっているので、ピッチングマシンが投球したボールの数を逐次カードリーダ側に送信して、カードの残投球数を高精度に管理することができる。
また、制御装置にカードリーダを内蔵したので、カードリーダの双方向通信機器を制御装置の機器と兼ねることができ、部品点数の削減が可能である。
【発明を実施するための最良の形態】
【００１０】
以下、本発明のピッチングマシン制御システの一実施の形態を図面に基づいて説明する。図１は本発明の実施の形態を説明する概略図であり、図２は本発明に係わる制御装置の拡大図であり、図３は本発明に係わる制御装置の第１の実施例であり、図４は本発明に係わる制御装置の第２の実施例であり、図４は本発明に係わる制御装置の第２の実施例である。
【００１１】
まず、本発明の第１の実施の形態のピッチングマシン制御システを図１に基づいて説明すると、ピッチングマシン１は、ピッチャーの投球モーションを行う映像を映写可能なスクリーン２が配設され、このスクリーン２の裏側に投球マシン（図示せず）が配設されている。
そして、スクリーン２には、所定の大きさの投球窓２ａが形成され、この投球窓２ａを介して投球マシンからのボール３が、バッターボックス４側に投球されるようになっている。
【００１２】
また、スクリーン２には、ピッチングマシン１から投球されるボール３の複数の球種あるいは投球パターン等の投球メニューを表示可能な液晶等からなる表示部２ｂが形成されている。また、ピッチングマシン１には、後述する制御装置１０から送信される制御信号を、後述するカードリーダ９を介して受信可能な受信機（図示せず）、または双方向通信機器が配設されている。
前記表示部２ｂに表示される複数の投球メニューの中から所望の球種あるいは投球パターンを、後述する制御装置１０で選択および決定が可能になっている。
【００１３】
また、バッターボックス４に位置しているバッター５は、危険防止のためにヘルメット６をかぶっており、このヘルメット６の所定位置には、後述する制御装置１０が装着可能になっている。
前記バッターボックス４の後方で、バッター５がスイングするバット７がぶつからない位置に、ピッチングマシン１から投球されたボール３を受け止めるためのバックネット８が配設されている。
前記バックネット８に受け止められたボール３は、ベルトコンベア（図示せず）等の搬送機で再度ピッチングマシン１側に自動的に戻されるようになっている。
【００１４】
更に、バックネット８の後方には、カードリーダ９が配設されており、このカードリーダ９は、ピッチングマシン１の残投球数等の情報が記録されカード（図示せず）を装着可能なカード挿着部９ａが、例えば側面に形成されていると共に、上面にヘルメット６を載置可能なヘルメット載置部９ｂが形成されている。
そして、ヘルメット載置部９ｂにヘルメット６を載置すると、ヘルメット６に形成した後述する制御装置１０の充電が可能になっている。
【００１５】
また、ヘルメット６には、ピッチングマシン１から投球されるボール３の球種あるいはピッチャーの投球パターン等を制御可能な制御装置１０が装着されている。即ち、制御装置１０は、ヘルメット６をかぶることでバッター５が携帯可能にになっており、バッター５は、バッターボックス４に位置した状態で制御装置１０を操作可能になっている。
【００１６】
前記制御装置１０は、図２に示すように、メニューボタン１０ａとセレクトボタン１０ｂとが形成され、メニューボタン１０ａを操作することで、ピッチングマシン１のスクリーン２の表示部２ｂに表示された複数の投球メニューである球種あるいは投球パターン等を、表示部２ｂを見ながら選択できると共に、決定もできるようになっている。
【００１７】
また、決定した投球メニューは、表示部２ｂに表示されて、リアルタイムで認識できるようになっている。
また、制御装置１０には、選択されて決定された投球メニューに対応する信号を送信可能な送信機（図示せず）、または双方向通信機器が配設されている。
【００１８】
尚、本発明の実施の形態の説明では、スクリーン２に表示部２ｂを形成したもので説明したが、制御装置１０に表示部を形成した（図示せず）ものでも良い。
あるいは、スクリーン２と制御装置１０の両方に表示部を形成したものでも良い。即ち、表示部２ｂは、ピッチングマシン側、あるいは／および制御装置１０側に形成している。
【００１９】
また、ピッチングマシン１とカードリーダ９とに搭載した双方向通信が可能な機器（図示せず）により、ピッチングマシン１側の各種情報である、例えばピッチングマシン１が投球したボール３の数をカードリーダ９側に送信可能になっており、送信された投球数に対応して、カードリーダ９に挿着しているカードの投球数の残数を書き換え可能になっている。
【００２０】
前述したような本発明の第１の実施の形態のピッチングマシン制御システムの操作を説明すると、まず、バター４がカードリーダ９のカード挿着部９ａにカード（図示せず）を挿入して挿着する。
すると、カードに記録されている、例えばボール３の残投球数等の情報をカードリーダ９が認識し、カードに残投球数が残っている場合は、カードリーダ９から検索信号が出力されてピッチングマシン１と制御装置１０とを検索して互いが無線回線で接続される。
【００２１】
前記接続に際して、カードリーダ９とピッチングマシン１および制御装置１０に、それぞれ固有の番号を割り当てておくことで、カードリーダ９からの接続相手を固定することができる。
即ち、ピッチングマシーン１および制御装置１０を装着したヘルメット６が複数あっとしても、互いに接続相手を固定したピッチングマシン１および制御装置１０にしか接続しないようになっている。
【００２２】
前記カードリーダ９とピッチングマシン１および制御装置１０との無線回線の接続が完了すると、例えば表示部２ｂに投球メニューが表示されると共に、制御装置１０が操作可能になる。
そして、バッター５がバッターボックス４に入って、ヘルメット６の制御装置１０のメニューボタン１０ａを操作して、表示部２ｂに表示される複数の投球メニューを切り換えて、所望の投球メニューを選択する。
【００２３】
前記所望の投球メニューを選択後、メニューボタン１０ａを再度操作することで、選択した所望の投球メニューが決定される。
そして、決定した投球メニューが、例えばストレートボールだったとすると、ストレートボールに対応する制御信号が制御装置１０の送信機からカードリーダ９を経由してピッチングマシン１側に送信されて、ピッチングマシン１側の受信機で受信される。
すると、ピッチングマシン１が動作して、選択したストレートボールがピッチングマシン１から投球される。
【００２４】
また、同時にピッチングマシン１側の双方向通信機器から送信される、ボール３の投球数に対応する制御信号をカードリーダ９が受信して、カードリーダ９に挿着しているカードに記録されている投球数の残数が逐次書き換えられる。
また、ピッチングマシン１から投球されるボール３をバッティング中に、バッター５がヘルメット６をかぶった状態で制御装置１０のセレクトボタン１０ｂを操作すると、ピッチングマシン１からの投球が一次中断される。
そして、現在選択している投球メニューの設定変更、あるいは投球の中止等を行うことができる。
【００２５】
即ち、本発明のピッチングマシン制御システムは、バッター５が、バッターボックス４に位置した状態で携帯した制御装置１０を操作することで、ピッチングマシン１の複数の投球メニューの中から所望の投球メニューを選択可能になっている。
また、カードに記録されている投球数の残数が無くなったり、セレクトボタン１０ｂを操作してピッチングマシン１を途中で終了させた場合は、それぞれの間の無線回線の接続が切断されて、例えば表示部２ｂに「終了しました」の文字が表示される。
【００２６】
また、本発明の第２の実施の形態のピッチングマシン制御システムは、第１の実施の形態で説明したカードリーダ９を用いないで、制御装置１０にカード挿着部を形成し（図示せず）、カードリーダを制御装置１０に内蔵したものである。  このような制御装置１０にカードリーダを内蔵した本発明の第２の実施の形態のピッチングマシン制御システムの操作を説明すると、まず、バッター４がかぶる前のヘルメット６の制御装置１０に形成しているカード挿着部にカードを挿入して挿着する。
【００２７】
そして、カードリーダがカードに記録されている残投球数等の情報を読み取り、カードに残投球数が残っている場合は、制御装置１０から検索信号が出力されて、ピッチングマシン１を検索して制御装置１０とピッチングマシン１との無線回線による接続が行われる。
前記ピッチングマシン１と制御装置１０との無線回線の接続が完了すると、制御装置１０が操作可能になる。
その後は、第１の実施の形態と同じように、制御装置１０のメニューボタン１０ａを操作して、所望の投球メニューを選択する。
【００２８】
そして、所望の投球メニューを選択後にメニューボタン１０ａを再度操作することで、選択した所望の投球メニューが決定され、この決定した投球メニューに対応する制御信号が制御装置１０から送信されて、ピッチングマシン１側の受信機で受信される。
すると、ピッチングマシン１の動作が開始されて、選択した投球メニューに対応する球種がピッチングマシン１から投球される。
このような第２の実施の形態のピッチングマシン制御装置は、制御装置１０にカードリーダを内蔵することで、通信機器を減らすことができ、部品点数を削減できる。
【００２９】
尚、本発明の実施の形態の説明では、制御装置１０をヘルメット６に装着したもので説明したが、図４に示すように、リストバンド１１に携帯可能に装着して、バッター５の腕に装着するようにしたものでも良い。
あるいは、図５に示すように、小型にした制御装置１０をバット７のグリップエンドにマジックテープ（登録商標）等で携帯可能に装着したものでも良い。
前記バット７のグリップエンドに装着した制御装置１０に、バット７のスイング速度等を検出可能なセンサを内蔵することで、より多くの情報を扱ってエンターテイメント性を高めることが可能となる。
【００３０】
尚、本発明の実施の形態の説明では、制御装置１０をヘルメット６、あるいはリストバンド１１、あるいはバット７に装着したもので説明したが、ヘルメット６、あるいはリストバンド１１、あるいはバット７に装着した制御装置１０は、着脱可能になっており、取り外した制御装置１０単体を、バッター５が着用している衣服のポケット等に挿入して携帯することも可能である。
即ち、バッター５は、バッターボックス４に位置した状態で携帯した制御装置１０を操作可能になっている。
このような、制御装置１０は、操作時に直接バター５が手に持って操作することができ、誤操作等がなく操作性に優れている。
【図面の簡単な説明】
【００３１】
【図１】本発明の第１の実施の形態を説明する概略図である。
【図２】本発明に係わる制御装置の拡大図である。
【図３】本発明に係わる制御装置を取り付けたヘルメットの図である。
【図４】本発明に係わる制御装置を取り付けたリストバンドの図である。
【図５】本発明に係わる制御装置をバットに取り付けた図である。
【符号の説明】
【００３２】
１  ピッチングマシン
２  スクリーン
２ａ  投球窓
２ｂ  表示部
３  ボール
４  バッターボックス
５  バッター
６  ヘルメット
７  バット
８  バックネット
９  カードリーダ
９ａ  カード挿着部
９ｂ  ヘルメット載置部
１０  制御装置
１０ａ  メニューボタン
１０ｂ  セレクトボタン
１１  リストバンド
【図１】
2006197998.tif 000003
【図２】
2006197998.tif 000004
【図３】
2006197998.tif 000005
【図４】
2006197998.tif 000006
【図５】
2006197998.tif 000007